(57)【要約】      （修正有）【課題】軽量で扱いやすく落としても怪我のない漏斗ホルダを提供する。【解決手段】ボトルのネック部分を挟持して使用される漏斗ホルダ１０であって、連結部１４ｃ、１５ｃを中心に開閉自在に連結される一対の挟持片１４ａ、１５ａと、挟持片１４ａ、１５ａが閉じる方向へ付勢するバネ部材と、挟持片１４ａ、１５ａと一体成形され、一対の挟持片１４ａ、１５ａを開閉させる操作を行う一対の把持片１４ｂ、１５ｂと、連結部１４ｃ、１５ｃの中心部を貫通しボトルの軸方向に対して略平行で上下の鉛直方向に延びた支持棒と、支持棒の先端部に設けられ挟持片１４ａ、１５ａに対し上方且つ略平行でボトルの中心軸と略同一の範囲にある中心軸を有する環状のホルダ１３とを備えるとともに、ホルダ１３は、漏斗の外周部の中間部に当接してボトルを支持する。【選択図】図１
0003201344.tif 000002
【実用新案登録請求の範囲】
【請求項１】
ボトルのネック部分を挟持して使用される漏斗ホルダであって、
連結部を中心に開閉自在に連結される一対の挟持片と、前記挟持片が閉じる方向へ付勢するバネ部材と、前記挟持片と一体成形され、前記一対の挟持片を開閉させる操作を行う一対の把持片と、前記連結部の中心部を貫通し前記ボトルの軸方向に対して略平行で上下の鉛直方向に延びた支持棒と、前記支持棒の先端部に設けられ前記挟持片に対し上方且つ略平行で前記ボトルの中心軸と略同一の範囲にある中心軸を有する環状のホルダとを備えるとともに、前記ホルダは、漏斗の外周部の中間部に当接して前記ボトルを支持することを特徴とする漏斗ホルダ。
【請求項２】
請求項１に記載の漏斗ホルダにおいて、前記支持棒及び前記環状のホルダはステンレス線で構成され、一体で形成されたことを特徴とする漏斗ホルダ。
【請求項３】
請求項１又は２に記載の漏斗ホルダにおいて、前記把持片は、先端部がへの字形状に形成されていることを特徴とする漏斗ホルダ。
【考案の詳細な説明】
【技術分野】
【０００１】
この考案は、液体又は紛体を所定の容器等に移し換える際に使用する漏斗を保持する漏斗ホルダに関するものである。  
【背景技術】
【０００２】
従来、液体を小口径の容器等に移し換えるのに漏斗が使用されが、移し替えのスピードが格段に速く、手を漏斗に添えなくとも容易に移し替えができ、かつ、螺子山のピッチの異なるペットボトル等容器でも使用できるような漏斗も、特許文献１に記載されている。
【先行技術文献】
【特許文献】
【０００３】
【特許文献１】特開２００８−０６３０１０号
【考案の概要】
【考案が解決しようとする課題】
【０００４】
しかしながら、特許文献１記載の発明品は、専用の漏斗となってしまうので、使用者が、現在、保有している種々の漏斗を流用して使用することができなくなってしまう。
【０００５】
本考案の目的は、従来の漏斗に対応して、ボトルに移し替え時に使用でき、しかも移し替えのスピードが速く、手を漏斗に添えなくとも容易に移し替えができる漏斗ホルダを提供する。
【課題を解決するための手段】
【０００６】
前記目的に沿う第一の考案に係る漏斗ホルダは、ボトルのネック部分を挟持して使用される漏斗ホルダであって、
連結部を中心に開閉自在に連結される一対の挟持片と、前記挟持片が閉じる方向へ付勢するバネ部材と、前記挟持片と一体成形され、前記一対の挟持片を開閉させる操作を行う一対の把持片と、前記連結部の中心部を貫通し前記ボトルの軸方向に対して略平行で上下の鉛直方向に延びた支持棒と、前記支持棒の先端部に設けられ前記挟持片に対し上方且つ略平行で前記ボトルの中心軸と略同一の範囲にある中心軸を有する環状のホルダとを備えるとともに、前記ホルダは、漏斗の外周部の中間部に当接して前記ボトルを支持する。
【０００７】
その結果、漏斗の外周部の中間部がホルダと接しホルダで保持するので、ボトルの口を漏斗が塞ぐことがなくなり、移し替えのスピードが速く、手を漏斗に添えなくとも容易に移し替えができる。
【０００８】
前記目的に沿う第二の考案に係る漏斗ホルダは、前記支持棒及び前記環状のホルダはステンレス線で構成され、一体で形成された。
【０００９】
その結果、１本のステンレス線を曲げ加工することで、支持棒及び環状のホルダを構成でき、部品点数に少なくすることができる。
【００１０】
前記目的に沿う第三の考案に係る漏斗ホルダは、前記把持片は、先端部がへの字形状に形成されている。
【００１１】
その結果、色々な大きさのボトルのネック部を挟むので、ボトルに対し、簡単な形状で安定した位置で保持できる。
【考案の効果】
【００１２】
第一から第三の考案に係る漏斗ホルダにおいては、ボトルの口を漏斗が塞ぐことがなくなり、移し替えのスピードが速く、手を漏斗に添えなくとも容易に移し替えができる。
【図面の簡単な説明】
【００１３】
【図１】本考案の一実施の形態である漏斗ホルダの平面図である。
【図２】同漏斗ホルダの側面からの使用状態を示す説明図である。
【図３】同漏斗ホルダの正面図である。
【図４】同漏斗ホルダの背面図である。
【考案を実施するための形態】
【００１４】
本考案の実施例を図１〜図７に示す図に基づいて説明する。
図１、２は本考案の一実施の形態にかかる漏斗ホルダ１０の平面図、側面からの使用状態を示す説明図であり、本考案の漏斗ホルダを実現するための最良の形態を図面に従って説明する。本発明の漏斗ホルダ１０は、ボトル２１のネック部２１ａを挟んで保持するピンチ１１と、ピンチ１１を構成するそれぞれの把持部材１４，１５の中央の連結部１４ｃ，１５ｃの重なり合った部分の中心部を貫通する直立した支持棒１２と、支持棒１２の先端に設けられた環状のホルダ１３は、使用するボトル２１の中心軸と略同一の範囲にある中心軸を有している。支持棒１２を除いて、それぞれの材質は、例えば、ポリプロピレン、ポリカーボネート或いはＡＢＳ樹脂などの合成樹脂材料からなり、特にピンチ１１においては、射出成形などによって左右で一対となる挟持片１４ａ，１５ａ及び把持片１４ｂ，１５ｂを備える挟持部材１４，１５として一体成形される。また、挟持片１４，１５は、対になる挟持部材１４，１５同士がそれぞれの連結部１４ｃ，１５ｃの中心部の孔を通る支持棒１２を介して連結されて左右対称になっている。
【００１５】
それぞれの連結部１４ｃ，１５ｃは、挟持部材１４，１５の長さ方向中間部付近であって、一対の挟持部材１４，１５を連結させ互いに一部が重なり合い、それぞれの連結部１４ｃ，１５ｃの中心部を貫通させた支持棒１２を介して回動可能な構造となっている。
【００１６】
さらに、挟持片１４ａ，１５ａは、ボトル２１のネック部２１ａを挟持するための部位であって、閉じ合わされた状態で、対になる挟持部材１４，１５の先端部同士が当接するように形成されている。
さらに、支持棒１２とホルダ１３を同一部材のステンレス線（針金）で構成して、一体として形成してもよい。そうすることにより、部品点数の低減になる。
【００１７】
図２は、漏斗ホルダの側面からの使用状態を示す説明図である。また、本考案の漏斗部ホルダ１０をボトル２１に装着して、漏斗２０を取り付けた状態を示している。ピンチ１１は、ボトル２１のネック部２１ａに挟持片１４ａ，１５ａにて装着されており、位置決めされている。そのため、ホルダ１３は、漏斗２０の外周面２０ａの中間部に当接するので、注出部２０ｂの根元部分は、ボトル２１のネック部２１ａのネック部２１ａの口先まで達しないので、ネック部２１ａの口先を漏斗２０の外周面２０ａで塞いでしまうことがない。このようにすることで、注出部２０ｂとネック部２１ａとの間に空気流通路を確保できるので、ボトル等の容器内の空気が排出できるようなり、容器への流入速度が増すことで、移し替えに要する時間が短縮することができる。
【００１８】
図３は、本考案の一実施の形態にかかる漏斗ホルダ１０の正面図である。ピンチ１１が閉じられている状態である。一対の挟持部材１４，１５は、連結部１４ｃ，１５ｃ（図１参照）の中心部の孔を通る支持棒１２を介して連結されることによって開閉自在になっている。また、支持棒１２は、ストッパ１６，１６ａによって、一対の挟持部材１４，１５より抜けないように固定されている。ストッパ１６ａにより、支持棒１２の上方への突出した高さが決められ、ストッパ１６は、支持棒１２の抜け防止になっている。なお、ストッパ１６，１６ａは、樹脂等で出来ておりドーナツ状で支持棒１２に嵌め込まれている。あと、支持棒１２の上端は、環状のホルダ１３の一部に挿しこまれて固定されている。
【００１９】
図４は、本考案の一実施の形態にかかる漏斗ホルダ１０の背面図である。ここでは、ピンチ１１に設けられたバネ部材１７は、ばね鋼材料などの金属線材からなり、くの字形状のねじりバネが用いられている。また、バネ部材１７は、中間部のコイル部分を支持部材１２が貫通して、それぞれの端部が挟持部材１４，１５に取り付けられることによって、支持部材１２が挟持部材１４，１５を連結し、挟持部材１４，１５同士が離間することを防止する。
【００２０】
一対の挟持片１４ａ，１５ａは、挟持部材１４，１５を連結する連結部１６によって開閉自在に連結されるようになっており、バネ部材１７によって挟持部材１４，１５が連結して取り付けられ、挟持片１４ａ，１５ａが閉じる方向へ付勢されるように構成されている。
【００２１】
連結部１５ｃは、把持部材１５の上下方向の上端部及び下端部からそれぞれ突出して形成されており、又、連結部１４ｃは、把持部材１４の上下方向の中間部の上端側及び中間部の上端側からそれぞれ突出して形成されている。連結部１４ｃ，１５ｃは、互いに、一部が重なりその一部に支持棒１２が貫通している。さらに、挟み込んだ際にボトル２１のネック部２１ａの外形形状にできるだけ沿うように、把持片１４ａ，１５ａをへの字形状に形成されている。そのようにすることで、ネック部２１ａに取り付けやすくなっている。
【００２２】
以上、本考案について、実施の形態を参照して説明してきたが、上記の実施の形態に記載の構成に限定されるものではなく、例えば、連結部の構造を変化させて開閉の中心軸を形成する場合や、実用新案請求の範囲に記載されている事項の範囲内で考えられるその他の実施の形態や変形例も含むものである。例えば、前記したそれぞれの実施の形態や変形例の一部又は全部を組合せて本考案の漏斗ホルダを構成する場合も本考案の権利範囲に含まれる。
【産業上の利用可能性】
【００２３】
本考案は主として、液体又は紛体を所定の容器等に移し換える際に使用する漏斗を保持する漏斗ホルダに関するものである。
【符号の説明】
【００２４】
１０：漏斗ホルダ、１１：ピンチ、１２：支持棒、１３：ホルダ、１４：挟持部材、１４ａ：挟持片、１４ｂ：把持片、１４ｃ：連結部、１５：挟持部材、１５ａ：挟持片、１５ｂ：把持片、１５ｃ：連結部、１６：ストッパ、１６ａ：ストッパ、１７：バネ部材、２０：漏斗、２０ａ：外周部、２０ｂ：注出部、２１：ボトル、２１ａ：ネック部、
【図１】
0003201344.tif 000003
【図２】
0003201344.tif 000004
【図３】
0003201344.tif 000005
【図４】
0003201344.tif 000006